(57)【特許請求の範囲】
【請求項１】
受信される複数の放送チャンネルの配信情報を対象に、所定の検索キーに対応する関連情報を検索する受信機において、
番組情報とこの番組情報の内容に関連する付随情報とが含まれる前記配信情報を受信する受信手段と、
前記検索キーの入力を行う操作手段と、
前記操作手段の操作によって前記検索キーが指定されたときに、この検索キーが含まれる前記付随情報を有する前記放送チャンネルを特定するとともに、この放送チャンネルに対応する前記付随情報に含まれる前記関連情報を検索する検索手段と、
一あるいは複数の前記放送チャンネルに対応する前記付随情報から検索された前記関連情報の内容を表示する表示手段と、
を備え、前記付随情報には、アーティストの名称とこのアーティストの活動内容に対応する前記関連情報が少なくとも含まれており、
前記検索キーとして前記アーティストの名称が指定されたときに、前記表示手段によって、前記アーティストの活動内容が表示されることを特徴とする受信機。
【請求項２】
請求項１において、
前記表示手段による表示には、前記検索キーとこの検索キーに基づいて検索された前記関連情報が含まれることを特徴とする受信機。
【請求項３】
請求項１または２において、
前記検索手段は、指定された前記検索キーを用いてこの検索キーが前記付随情報に含まれる一あるいは複数の前記放送チャンネルを検索するとともに、これらの各放送チャンネルに含まれる前記関連情報の検索を行うことを特徴とする受信機。
【請求項４】
請求項１〜３のいずれかの前記受信機以外に、前記付随情報が格納された記憶媒体が含まれる外部装置を有しており、
前記検索手段は、前記受信機によって受信された前記配信情報を対象に前記関連情報の検索を行った後に、前記外部装置内の前記記憶媒体に格納された前記付随情報を対象に前記関連情報の検索を行うことを特徴とする受信システム。
【請求項５】
請求項１〜３のいずれかの前記受信機に、前記付随情報が含まれるデータベースが所定のネットワークを介して接続されており、
前記検索手段は、前記受信機によって受信された前記配信情報を対象に前記関連情報の検索を行った後に、前記データベースを対象に前記関連情報の検索を行うことを特徴とする受信システム。
【請求項６】
請求項１〜３のいずれかの前記受信機以外に、前記付随情報が格納された記憶媒体が含まれる外部装置を有しているとともに、前記受信機に、前記付随情報が含まれるデータベースが所定のネットワークを介して接続されており、
前記検索手段は、前記受信機によって受信された前記配信情報を対象に前記関連情報の検索を行った後に、前記外部装置内の前記記憶媒体に格納された前記付随情報を対象に前記関連情報の検索を行い、さらに前記データベースを対象に前記関連情報の検索を行うことを特徴とする受信システム。
【請求項７】
請求項４〜６のいずれかにおいて、
前記表示手段は、前記検索手段によって検索された前記関連情報を、検索順にその都度表示することを特徴とする受信システム。
【請求項８】
請求項５または６において、
前記ネットワークを介した通信に際して料金の支払義務が生じる場合に、前記データベースを対象に前記関連情報の検索を行う前に、利用者にこの検索の実行の可否を確認する確認手段をさらに備え、
前記検索手段は、前記確認手段によって検索の実行が指示されたときに、前記データベースを対象とした前記関連情報の検索を行うことを特徴とする受信システム。
【請求項９】
請求項５または６において、
前記ネットワークを介した通信に際して、所定範囲内については無料あるいは定額料金が設定されており、この所定範囲を超える場合に追加料金の支払義務が生じる場合に、前記追加料金の支払義務が生じる前に、前記データベースを対象とした前記関連情報の検索の実行の可否を利用者に確認する確認手段をさらに備え、
前記検索手段は、前記所定範囲を超えた場合には、前記確認手段によって検索の実行が指示された場合に限って、前記データベースを対象とした前記関連情報の検索を行うことを特徴とする受信システム。
【発明の詳細な説明】
【０００１】
【発明の属する技術分野】
本発明は、放送形式で配信される情報等の中から所定の検索キーに対応する関連情報を検索する受信機および受信システムに関する。
【０００２】
【従来の技術】
最近では、映像信号や音声信号をデジタル化して放送を行う各種のデジタル放送が実用化されている。例えば、ＣＳ（Communication Satellite ）デジタル放送やＢＳ（Broadcasting Satellite）デジタル放送、あるいは、欧州等におけるデジタルオーディオ放送ＤＡＢ（Digital Audio Broadcasting）等のデジタル放送が実用化されている。放送のデジタル化により、映像や音声の高品質化、多チャンネル化、あるいは放送中の番組に関する各種の付随情報の配信が可能となるなど様々なメリットがもたらされている。
【０００３】
【発明が解決しようとする課題】
ところで、一般に、各種のデジタル放送により配信される配信情報には、映像や音声などの番組情報に加えて番組の内容に関連する付随情報が含まれており、番組の視聴時にその内容に関連する情報を視聴したり、現在視聴中の番組と類似したジャンルの番組や同じ出演者の番組などを放送している放送チャンネルを検索することができるようになっている。
【０００４】
しかし、あるアーティストＡに対応する関連情報だけを取得したいというような場合には、（１）アーティストＡに関連する番組を放送している放送チャンネルを検索し、（２）次に検索された各放送チャンネルを指定し、（３）指定した放送チャンネルの配信情報に付加された付随情報に基づいて、アーティストＡに関連する情報を表示させる、という煩雑な操作を各放送チャンネルについて行う必要があった。すなわち、従来は、受信中の番組の内容などに基づいて設定した所定の検索キーに対応する関連情報を取得する際の操作が煩雑であるという問題があった。
【０００５】
本発明は、このような点に鑑みて創作されたものであり、その目的は、所定の検索キーに対応する関連情報を容易に取得することができる受信機および受信システムを提供することにある。
【０００６】
【課題を解決するための手段】
上述した課題を解決するために、本発明の受信機では、受信される複数の放送チャンネルの配信情報を対象に、所定の検索キーに対応する関連情報を検索する場合に、番組情報とこの番組情報の内容に関連する付随情報とが含まれる配信情報を受信手段によって受信し、操作手段の操作によって所定の検索キーが指定されたときに、この検索キーが含まれる付随情報を有する放送チャンネルを特定するとともに、この放送チャンネルに対応する付随情報に含まれる関連情報を検索手段により検索して、一あるいは複数の放送チャンネルに対応する付随情報から検索された関連情報の内容を表示手段によって表示している。検索キーを指定するだけで、一あるいは複数の放送チャンネルに対応する付随情報の中から検索キーに対応する関連情報が検索されてその内容が表示されるので、所定の検索キーに対応する関連情報を容易に取得することができる。
【０００７】
上述した検索手段は、指定された検索キーを用いてこの検索キーが付随情報に含まれる一あるいは複数の放送チャンネルを検索するとともに、これらの各放送チャンネルに含まれる関連情報の検索を行うことが望ましい。検索キーが付随情報に含まれる放送チャンネルを検索してこれらの放送チャンネルに対応する付随情報を調べることにより、検索キーに対応する関連情報を効率よく収集することができる。
【０００８】
また、上述した付随情報には、アーティストの名称とこのアーティストの活動内容に対応する関連情報が少なくとも含まれており、検索キーとしてアーティストの名称が指定されたときに、表示手段によってアーティストの活動内容を表示することが望ましい。これにより、アーティストの名称を指定するだけでこのアーティストの活動内容に関する情報を簡単に取得することができる。
【０００９】
また、本発明の受信システムは、上述した受信機以外に、付随情報が格納された記憶媒体を含む外部装置を備えており、検索手段は、受信機によって受信された配信情報を対象に関連情報の検索を行った後に、外部装置内の記憶媒体に格納された付随情報を対象に関連情報の検索を行っている。外部装置内の記憶媒体に格納された付随情報を検索対象とすることによって、関連情報をより多く収集することができる。
【００１０】
また、本発明の受信システムは、上述した受信機が、付随情報が含まれるデータベースに所定のネットワークを介して接続されており、検索手段は、受信機によって受信された配信情報を対象に関連情報の検索を行った後に、データベースを対象に関連情報の検索を行っている。一般に、インターネット等のネットワークを介して接続されているデータベースには各種データが豊富に格納されているので、データベースを検索対象に含めることによって、多彩な内容の関連情報を収集することができる。
【００１１】
また、本発明の受信システムは、上述した受信機以外に、付随情報が格納された記憶媒体が含まれる外部装置を有しているとともに、上述した受信機が、付随情報が含まれるデータベースに所定のネットワークを介して接続されている。上述した検索手段は、受信機によって受信された配信情報を対象に関連情報の検索を行った後に、外部装置内の記憶媒体に格納された付随情報を対象に関連情報の検索を行い、さらにデータベースを対象に関連情報の検索を行っている。上述したように、外部装置や、ネットワークを介して接続されたデータベースを検索対象とすることにより、有用な関連情報をより多く収集することができる。
【００１２】
また、外部装置や、ネットワークを介して接続されたデータベースを検索対象として関連情報の検索が行われる場合に、上述した表示手段は、検索手段によって検索された関連情報を、検索順にその都度表示することが望ましい。検索対象の違いによって検索結果が得られるまでに時間差が生じた場合にも、検索された関連情報をその検索順にその都度表示することにより、利用者に対して関連情報を速やかに提供することができる。
【００１３】
また、ネットワークを介した通信に際して料金の支払義務が生じる場合に、データベースを対象に関連情報の検索を行う前に、利用者にこの検索の実行の可否を確認する確認手段をさらに備えておき、上述した検索手段は、確認手段によって検索の実行が指示されたときに、データベースを対象とした関連情報の検索を行うことが望ましい。これにより利用者は、通信料金を負担しても外部のデータベースを対象として関連情報の検索を行うか否かを任意に選択することができる。
【００１４】
また、ネットワークを介した通信に際して、所定範囲内については無料あるいは定額料金が設定されており、この所定範囲を超える場合に追加料金の支払義務が生じる場合に、追加料金の支払義務が生じる前に、データベースを対象とした関連情報の検索の実行の可否を利用者に確認する確認手段をさらに備えておき、所定範囲を超えた場合には、確認手段によって検索の実行が指示された場合に限って、検索手段により、データベースを対象とした関連情報の検索を行うことが望ましい。これにより利用者は、追加料金を負担しても外部のデータベースを対象として関連情報の検索を行うか否かを任意に選択することができる。
【００１５】
【発明の実施の形態】
〔第１の実施形態〕
以下、本発明を適用した一実施形態の受信機について図面を参照しながら説明する。
【００１６】
図１は、第１の実施形態の受信機の構成を示す図である。図１に示す受信機１００は、デジタルオーディオ放送を受信するためのものであり、アンテナ１、フロントエンド部（Ｆ／Ｅ）２、信号復調部３、番組選択部４、オーディオデコード部５、デジタル−アナログ（Ｄ／Ａ）変換部６、アンプ７、スピーカ８、制御部９、操作部１０、表示部１１を含んで構成されている。
【００１７】
フロントエンド部２は、アンテナ１を介して受信される信号の中から所望の放送チャンネルに対応する受信周波数の成分を抽出し、この抽出した信号に対して周波数変換を行い、中間周波信号を出力する。
信号復調部３は、フロントエンド部２から出力される中間周波信号をデジタルデータに変換した後に所定の復調処理を行うことにより送信データを復調する。
【００１８】
番組選択部４は、信号復調部３から出力される送信データに対してデインタリーブ処理を行って元のデータ列を復元した後に所定の誤り検出訂正処理を行い、複数の番組に対応する番組情報（所定方式で圧縮された音声データ）を復元し、制御部９からの指示に基づいて一の番組に対応する番組情報を抽出する。
【００１９】
オーディオデコード部５は、番組選択部４から出力される番組情報に対して所定の伸長処理を行うことにより音声データを復元し、復元した音声データをデジタル−アナログ変換部６に出力する。デジタル−アナログ変換部６は、オーディオデコード部５から出力される音声データをアナログ信号に変換する。
【００２０】
アンプ７は、制御部９からの指示に基づいて、デジタル−アナログ変換部６から出力されるアナログ信号を所定のゲインで増幅してスピーカ８に出力する。スピーカ８は、増幅後のアナログ信号に対応した音声を出力する。
制御部９は、受信機１００の全体動作を制御するものである。具体的には、制御部９は、操作部１０を用いて利用者により行われる操作指示に基づいて、聴取する放送チャンネルを選択するための選局指示や、スピーカ８から出力される音声の音量調整などの処理を行う。なお、制御部９内に備わっている検索キー設定部２０、関連情報検索部２２、表示処理部２４の詳細については後述する。
【００２１】
操作部１０は、利用者が放送チャンネルの選択など各種の操作指示を行うためのものであり、各種の操作キーを備えている。表示部１１は、現在受信中の番組に関する情報や、利用者による操作状況などを表示する。
ここで、本実施形態の受信機１００によって受信されるデジタル放送の内容について説明する。配信情報には、上述した番組情報と、番組の内容を表す所定の番組内容データ（付随情報）が含まれている。
【００２２】
図２は、配信情報に含まれている番組内容データの詳細内容を示す図である。図２に示すように、番組内容データには、
ａ．番組内で放送されている楽曲を歌う、あるいは演奏しているアーティストの名称を表す「Ａｒｔｉｓｔ」、
ｂ．楽曲の曲名を示す「Ｔｉｔｌｅ」、
ｃ．楽曲が収録されているアルバム名を示す「Ａｌｂｕｍ」、
ｄ．楽曲（あるいはこの楽曲を収録するアルバム）の供給元の会社等を表す「Ｌａｂｅｌ」、
ｅ．楽曲の作者を示す「Ｃｏｍｐｏｓｅｒ」、
ｆ．楽曲に対して任意に付加される各種情報である「Ｃｏｍｍｅｎｔｓ」、
ｇ．任意に付加されるメッセージであり、アーティストの活動内容（例えば、新譜の発売予定やコンサート開催予定）などの情報が格納される「Ｐｒｏｍｏｔｉｏｎａｌ  Ｔｅｘｔ１〜４」、
等のデータが含まれている。
【００２３】
上述した制御部９内の検索キー設定部２０は、番組受信中に利用者から所定の検索指示が与えられた場合に、その時点で受信中の番組に関連する情報を検索する際の検索キーを設定する。本実施形態では、受信中の番組が提供している楽曲のアーティストの名称（アーティスト名）を特定し、このアーティスト名を検索キーとしている。
【００２４】
関連情報検索部２２は、検索キー設定部２０によって設定される検索キーを用いて、この検索キーに対応する関連情報を検索する。具体的には、関連情報検索部２２は、現在受信中の番組以外の番組に関する番組内容データ（図２参照）を取得し、主に「Ｃｏｍｍｅｎｔｓ」および「Ｐｒｏｍｏｔｉｏｎａｌ  Ｔｅｘｔ」に格納されているデータの中から、検索キーに対応する関連情報を検索する。
【００２５】
表示処理部２４は、表示部１１に表示する画像を生成する処理を行っており、関連情報検索部２２により各種の関連情報が収集された場合には、その内容を表示する画像を生成する。
上述したアンテナ１、フロントエンド部２、信号復調部３、番組選択部４、制御部９が受信手段に、操作部１０が操作手段に、検索キー設定部２０、関連情報検索部２２が検索手段に、表示部１１、表示処理部２４が表示手段にそれぞれ対応している。
【００２６】
本実施形態の受信機１００はこのような構成を有しており、次にその動作について説明する。
図３は、受信中の番組に基づいて検索キーを設定し、この検索キーに基づいて関連情報を検索する際の受信機１００の動作手順を示す流れ図である。
【００２７】
制御部９内の検索キー設定部２０は、利用者により所定の検索指示が行われたか否かを判定し（ステップ１００）、検索指示が行われた場合には肯定判断を行い、現在受信中の番組に対応して検索キーを設定する（ステップ１０１）。上述したように本実施形態では、受信中の番組により提供されている楽曲のアーティスト名が番組内容データに基づいて特定され、このアーティスト名が検索キーとして設定される。
【００２８】
検索キー設定部２０によって検索キーが設定されると、関連情報検索部２２は、他の番組の番組内容データを取得し、検索キーに対応する関連情報を検索する（ステップ１０２）。上述したように、他の番組に関する番組内容データに基づいて、主に「Ｃｏｍｍｅｎｔｓ」および「Ｐｒｏｍｏｔｉｏｎａｌ  Ｔｅｘｔ」の中から、検索キーに対応する関連情報が抽出される。
【００２９】
検索キーに基づいて関連情報が抽出されると、表示処理部２４は、抽出された関連情報の内容を表示するための画像データを生成し、表示部１１に表示する（ステップ１０３）。
図４は、関連情報の表示例を示す図である。図４に示すように、チャンネル３（ＣＨ００３）の番組が受信されており、この番組により提供されている楽曲のアーティストが「○○○○」である場合には、このアーティスト名「○○○○」を検索キーとして、他の番組の番組内容データの中から関連情報が抽出される。図４に示す例では、アーティスト「○○○○」の関連情報として、ニューアルバムの発売日やタイトルなどの活動内容が抽出されており、その内容が画面下側に表示されている。なお、１画面内に表示しきれない多数の関連情報が抽出された場合には、操作部１０を用いて所定の操作指示を行うことにより、あるいは自動的に、他の関連情報が順次表示されるものとする。
【００３０】
このように、第１の実施形態の受信機１００は、番組受信中に利用者から所定の検索指示が与えられた場合に、その時点で受信中の番組の内容に基づいて所定の検索キー（本実施形態では「アーティスト名」）を設定し、他の受信可能な放送チャンネルの配信情報に含まれる番組内容データ（付随情報）の中から検索キーに対応する関連情報を検索してその内容を表示しているので、所定の検索キーに対応する関連情報を容易に取得することができる。
【００３１】
〔第２の実施形態〕
ところで、上述した第１の実施形態では、受信機によって受信した複数の放送チャンネルの配信情報を対象として検索キーに基づいた検索処理を行って関連情報を検索していたが、受信機により受信される放送チャンネル以外に、各種の外部装置や外部データベースを検索対象として関連情報の検索を行うようにしてもよい。
【００３２】
図５は、第２の実施形態の受信システムの構成を示す図である。図５に示す受信システム２００は、受信機１００ａ、ＭＤ（ミニディスク）プレーヤ１１０、ＤＶＤ（デジタルバーサタイルディスク）プレーヤ１２０、ＣＤ（コンパクトディスク）チェンジャ１３０、ＨＤ（ハードディスク）ドライブ１４０、ナビゲーション装置１５０を含んで構成されており、これらの各装置がバス１６０を介して相互に接続されている。また、受信システム２００は、所定のネットワーク４００を介してウェブサーバ３００と接続可能になっている。なお、受信システム２００とネットワーク４００の間は、移動体電話等（図示せず）を介して接続されるものとする。
【００３３】
受信機１００ａは、上述した第１の実施形態の受信機１００と同様に、デジタル放送を受信したり、所定の検索キーに基づいて関連情報の検索を行うものである。また、第２の実施形態の受信機１００ａは、利用者により行われる操作指示に基づいて、ＭＤプレーヤ１１０、ＤＶＤプレーヤ１２０、ＣＤチェンジャ１３０のそれぞれの動作を制御する機能も兼ね備えており、各装置によって再生される映像や音声をバス１６０を介して取得し、映像表示や音声出力を行う。
【００３４】
また、受信機１００ａは、ＭＰ３（ＭＰＥＧ１オーディオレイヤ３）形式等の圧縮音楽データを再生する機能も兼ね備えており、ＨＤドライブ１４０、またはナビゲーション装置１５０に装填されたメモリカード１５２から圧縮音楽データを取得して音声出力を行うこともできるようになっている。なお、受信機１００ａの詳細構成については後述する。
【００３５】
ＭＤプレーヤ１１０は、ＭＤに記録されている楽曲を再生し、再生データをバス１６０を介して受信機１００ａに送信する。
ＤＶＤプレーヤ１２０は、ＤＶＤに記録された映像や音声を再生し、再生データをバス１６０を介して受信機１００ａに送信する。
【００３６】
ＣＤチェンジャ１３０は、複数枚のＣＤが装填可能であり、いずれかのＣＤに記録されている楽曲を再生し、再生データをバス１６０を介して受信機１００ａに送信する。
ＨＤドライブ１４０は、ＭＰ３形式等の圧縮音楽データやナビゲーション装置１５０に用いられるデータ（例えば、観光案内情報等）など各種のデータを格納している。
【００３７】
ナビゲーション装置１５０は、地図表示処理や経路探索・誘導処理など所定のナビゲーション処理を行うものであり、可搬型記憶媒体であるメモリカード１５２を装填可能となっている。本実施形態では、ナビゲーション装置１５０によって生成される表示画面（例えば、地図画像など）がバス１６０を介して受信機１００ａに送信され、受信機１００ａに備わった表示部に表示されるようになっている。また、本実施形態のナビゲーション装置１５０は、メモリカード１５２を用いて、外部から各種のデータを取得することができるようになっている。
【００３８】
また、図５に示すウェブサーバ３００は、各種情報を提供するウェブサイトをインターネット上に開設するためのものであり、各種情報を格納したデータベース（ＤＢ）３１０を備えている。
次に、受信機１００ａの詳細構成について説明する。図６は、第２の実施形態の受信機１００ａの構成を示す図である。図６に示す受信機１００ａは、基本的には上述した第１の実施形態の受信機１００と同様の構成を有しており、アンテナ１、フロントエンド部（Ｆ／Ｅ）２、信号復調部３、番組選択部４、オーディオデコード部５、デジタル−アナログ（Ｄ／Ａ）変換部６、アンプ７、スピーカ８、制御部９ａ、操作部１０、表示部１１、バス通信処理部１２、ウェブ通信処理部１３を含んで構成されている。以下、主に両者の相違点について説明する。
【００３９】
制御部９ａは、受信機１００ａの全体動作を制御するとともに、ＭＤプレーヤ１１０等の外部装置の動作制御やＭＰ３形式等の圧縮音楽データの再生処理などを行うものであり、検索キー設定部２０、関連情報検索部２２、表示処理部２４、外部装置検索部２６、ウェブ検索部２８、接続確認部３０を備えている。
【００４０】
外部装置検索部２６は、バス通信処理部１２を介してＭＤプレーヤ１１０等の外部装置と接続し、検索キー設定部２０によって設定された検索キーに基づいて、外部装置を対象として検索キーに対応する関連情報を検索する処理を行う。
具体的には、外部装置検索部２６は、ＭＤプレーヤ１１０に装填されているＭＤに記録されたＴＯＣ（Table Of Contents ）情報の中から、検索キーに対応する関連情報を検索する。また、外部装置検索部２６は、ＤＶＤプレーヤ１２０に装填されたＤＶＤや、ＣＤチェンジャ１３０に装填されたＣＤについても、ＭＤの場合と同様の方法によって検索キーに対応する関連情報を検索する。また、外部装置検索部２６は、ＨＤドライブ１４０あるいはナビゲーション装置１５０に装填されたメモリカード１５２に圧縮音楽データが格納されている場合には、圧縮音楽データに付加されているタグ情報（楽曲名やアーティスト名等、楽曲に関連する情報を含んでいる）に基づいて、検索キーに対応する関連情報を検索する。
【００４１】
ウェブ検索部２８は、ウェブ通信処理部１３を介してウェブサーバ３００に接続し、ＤＢ３１０に格納されている各種情報の中から、検索キーに対応する関連情報を検索する。
接続確認部３０は、ウェブ検索部２８が検索キーに対応する関連情報の検索を行おうとする際に、検索処理の実行の可否を利用者に確認する処理を行う。一般に、ネットワーク４００を介した通信を行う際には、通話料金やインターネットプロバイダへの接続料金などの支払い義務が生じるため、接続確認部３０は、ウェブ検索部２８による処理に先だって、ウェブサーバ３００を対象とした情報の検索を行うか否かを問いかけるメッセージを表示部１１に表示し、検索処理の可否を利用者に確認している。利用者により検索処理の実行が指示された場合には、接続確認部３０は、ウェブ検索部２８に対して検索処理の実行を許可する。
【００４２】
また、図６に示す操作部１０は、利用者が放送チャンネルの選択など受信機１００ａに対する各種の操作指示を行ったり、ＭＤプレーヤ１１０等の外部装置に対する操作指示を行うためのものであり、各種の操作キーを備えている。
表示部１１は、現在受信中の番組に関する情報や利用者による操作状況、ＭＤプレーヤ１１０等の動作状態、あるいはナビゲーション装置１５０により生成される地図画像などを表示する。
【００４３】
バス通信処理部１２は、制御部９ａがバス１６０を介してＭＤプレーヤ１１０等の外部装置との間でデータの送受を行うために必要な通信処理を行う。
ウェブ通信処理部１３は、制御部９ａがネットワーク４００を介してウェブサーバ３００との間でデータの送受を行うために必要な通信処理を行う。
【００４４】
上述したバス通信処理部１２、ウェブ通信処理部１３、関連情報検索部２２、外部装置検索部２６、ウェブ検索部２８が検索手段に、ＭＤプレーヤ１１０、ＤＶＤプレーヤ１２０、ＣＤチェンジャ１３０、ＨＤドライブ１４０、ナビゲーション装置１５０が外部装置に、接続確認部３０が確認手段にそれぞれ対応している。
【００４５】
第２の実施形態の受信システムはこのような構成を有しており、次にその動作内容について説明する。
図７は、受信中の番組に基づいて検索キーを設定し、この検索キーに基づいて関連情報を検索する際の受信機１００ａの動作手順を示す流れ図である。
【００４６】
制御部９ａ内の検索キー設定部２０は、利用者により所定の検索指示が行われたか否かを判定し（ステップ２００）、検索指示が行われた場合には肯定判断を行い、現在受信中の番組に対応して検索キーを設定する（ステップ２０１）。上述した第１の実施形態と同様に、受信中の番組により提供されている楽曲のアーティスト名が番組内容データに基づいて特定され、このアーティスト名が検索キーとして設定される。
【００４７】
検索キー設定部２０によって検索キーが設定されると、関連情報検索部２２は、他の番組の番組内容データを取得し、検索キーに対応する関連情報を検索する（ステップ２０２）。
また、外部装置検索部２６は、ＭＤプレーヤ１１０等の外部装置を対象として、検索キーに対応する関連情報を検索する（ステップ２０３）。
【００４８】
また、接続確認部３０は、所定のメッセージを表示部１１に表示し、利用者によって行われる操作指示に基づいて、ウェブサーバ３００を対象として検索キーに対応する関連情報の検索を行うか否かを判定する（ステップ２０４）。
ウェブサーバ３００を対象とした検索を行うように利用者から指示された場合には、ステップ２０４で肯定判断が行われ、接続確認部３０は、検索処理を許可する旨をウェブ検索部２８に通知する。通知を受けたウェブ検索処理部２８は、ウェブサーバ３００を対象として、検索キーに対応する関連情報の検索を行う（２０５）。
【００４９】
また、ウェブサーバ３００を検索対象としない旨が利用者により指示されると、上述したステップ２０４で否定判断が行われ、この場合には、ステップ２０５に示した処理が行われない。
検索キーに対応する関連情報が検索されると、表示処理部２４は、抽出された関連情報の内容を表示するための画像データを生成し、表示部１１に表示する（ステップ２０６）。本実施形態では、各検索部（関連情報検索部２２、外部装置検索部２６、ウェブ検索部２８）による検索処理が全て完了しなくても、抽出された関連情報を順次表示している。
【００５０】
次に、表示処理部２４は、各検索部により新たな関連情報が抽出されたか否かを判定する（ステップ２０７）。新たな関連情報が抽出された場合には、ステップ２０７で肯定判断が行われ、表示処理部２４は、上述したステップ２０６に戻り、新たに抽出された関連情報を追加して表示する。
【００５１】
新たな関連情報が抽出されていない場合には、ステップ２０７で否定判断が行われ、表示処理部２４は、各検索部による検索処理が完了したか否かを判定する（ステップ２０８）。各検索部による検索処理が完了していない場合には、ステップ２０８で否定判断が行われ、この場合には上述したステップ２０７に戻り、以降の処理が繰り返される。
【００５２】
また、各検索部による検索処理が完了した場合には、ステップ２０８で肯定判断が行われ、この場合には一連の処理が終了する。
図８は、関連情報の表示例を示す図である。アーティスト名「○○○○」を検索キーとして関連情報が抽出された場合の表示例が示されている。図８に示すように、関連情報は、抽出された順番にリスト化して表示されている。例えば、リストの１番目の関連情報は、楽曲「Ｓｏｎｇ−Ａ」の圧縮音楽データがＨＤドライブ１４０（図中では“ＨＤＤ”と表示）に格納されていることを示している。同様に、リストの２番目の関連情報は、コンサート（ライブ）の様子を収録したＤＶＤがＤＶＤプレーヤ１２０（図中では“ＤＶＤ”と表示）に装填されていることを示している。
【００５３】
他のリストも同様であり、図中の“ＳＴ”は受信機１００ａにより受信される番組内容データに基づいて抽出された関連情報、“ＭＤ”はＭＤプレーヤ１１０に装填されたＭＤから抽出された関連情報、“ＣＤ”はＣＤチェンジャ１３０に装填されたＣＤから抽出された関連情報、“ＷＥＢ”はウェブサーバ３００から抽出された関連情報、“ＭＣ”はメモリカード１５２から抽出された関連情報であることをそれぞれ示している。またリストの５番目の関連情報については、ウェブサーバ３００から抽出されたものであり、この関連情報について、さらに詳細な情報をダウンロード可能であることが“ＤＬ”という表示によって表されている。また、上述したように、関連情報のリストは、各関連情報が新たに抽出される毎に、順次リスト項目が追加されて表示内容が更新される。なお、１画面内に表示しきれない多数の関連情報が抽出された場合には、操作部１０を用いて所定の操作指示を行うことにより、他の関連情報が表示される。
【００５４】
図９は、関連情報の他の表示例を示す図である。図９に示すように、検索対象のカテゴリ別に関連情報を分類し、各カテゴリについて２、３の関連情報が示されている。また、操作部１０を用いて所定の操作を行い所望のカテゴリを指定することにより、そのカテゴリに属するさらに多くの関連情報を見ることができるようになっている。
【００５５】
このように、第２の実施形態の受信システム２００では、番組受信中に利用者から所定の検索指示が与えられた場合に、その時点で受信中の番組の内容に基づいて所定の検索キーを設定し、他の受信可能な放送チャンネルの配信情報に含まれる番組内容データ（付随情報）の中から検索キーに対応する関連情報を検索するとともに、ＭＤプレーヤ１１０等の外部装置やネットワーク４００を介して接続されたウェブサーバ３００を検索対象として検索キーに対応する関連情報を検索し、抽出した関連情報の内容を表示しているので、所定の検索キーに対応する関連情報を容易に取得することができる。特に、他の放送チャンネルの配信情報に加えて、外部装置やネットワークを介して接続されたウェブサーバ３００を検索対象としているので、簡単な操作により多彩な関連情報を抽出することができるという利点がある。
【００５６】
なお、本発明は上述した各実施形態に限定されるものではなく、本発明の要旨の範囲内においてさらに種々の変形実施が可能である。例えば、上述した各実施形態において、検索キー設定部２０は、所定の検索指示が与えられた場合にその時点で受信中の番組が提供している楽曲のアーティスト名を検索キーとして設定していたが、検索キーの内容はこれに限定されるものではない。また、検索キーの内容は、利用者が操作部１０を用いて任意に設定できるようにしてもよい。
【００５７】
また上述した第２の実施形態では、受信機１００ａによって受信されている放送チャンネルの番組内容データに基づいて検索キーを設定し、関連情報の検索を行っていたが、他の外部装置の動作状況に基づいて関連情報の検索を行っても良い。例えば、ＭＤプレーヤ１１０によって、ＭＤに記録された楽曲の再生が行われている場合には、この楽曲の付随情報に基づいてアーティスト名などの検索キーを設定し、関連情報の検索処理を行えばよい。同様に、ナビゲーション装置１５０による処理が行われている場合には、例えば、車両位置に対応する地域の名称などを検索キーとして設定し、関連情報（例えば、ＨＤドライブ１４０に格納されている観光情報等）を検索すればよい。
【００５８】
また上述した第２の実施形態では、ウェブサーバ３００を検索対象とするか否かを判定する際に、その都度利用者の操作指示を要求していたが、検索対象とするか否かを利用者が予め設定しておくようにしてもよい。
また第２の実施形態では、ネットワーク４００を介した通信に際して料金の支払義務が生じる場合を想定し、ウェブサーバ３００を検索対象とするか否かを確認する所定の確認処理を接続確認部３０によって行っていたが、ネットワーク４００を介した通信に際して、所定範囲内については無料あるいは定額料金が設定されており、この所定範囲を超える場合に追加料金の支払義務が生じる場合には、追加料金の支払義務が生じる前に、接続確認部３０による確認処理を行うようにしてもよい。この場合には、追加料金の支払義務が生じない所定範囲を接続確認部３０に設定しておくようにし、ウェブサーバ３００を対象とした検索が行われる際に、追加料金の支払義務が生じるか否かを接続確認部３０が判定し、支払義務が生じる場合には所定の確認画面を表示し、利用者の意思を確認するようにすればよい。
【００５９】
また上述した各実施形態では、デジタルオーディオ放送を受信する場合を想定していたが、これに限定されるものではなく、ＢＳデジタル放送、ＣＳデジタル放送等の映像を含む各種放送を受信する場合にも同様にして本発明を適用することができる。
【００６０】
また上述した各実施形態では、車載用の受信機および受信システムを想定していたが、本発明の適用範囲はこれらに限定されるものではなく、家庭用の受信機や受信システム等についても適用することが可能である。
【００６１】
【発明の効果】
上述したように、本発明によれば、受信機によって受信される複数の放送チャンネルの配信情報等を対象として、所定の検索キーに対応する関連情報を検索する場合に、所定の検索キーを指定するだけで、一あるいは複数の放送チャンネルに対応する付随情報の中から検索キーに対応する関連情報が検索されてその内容が表示されるので、所定の検索キーに対応する関連情報を容易に取得することができる。
【図面の簡単な説明】
【図１】第１の実施形態の受信機の構成を示す図である。
【図２】配信情報に含まれている番組内容データの詳細内容を示す図である。
【図３】受信中の番組に基づいて検索キーを設定し、この検索キーに基づいて関連情報を検索する際の受信機の動作手順を示す流れ図である。
【図４】関連情報の表示例を示す図である。
【図５】第２の実施形態の受信システムの構成を示す図である。
【図６】第２の実施形態の受信機の構成を示す図である。
【図７】受信中の番組に基づいて検索キーを設定し、この検索キーに基づいて関連情報を検索する際の受信機の動作手順を示す流れ図である。
【図８】関連情報の表示例を示す図である。
【図９】関連情報の他の表示例を示す図である。
【符号の説明】
１  アンテナ
２  フロントエンド部（Ｆ／Ｅ）
３  信号復調部
４  番組選択部
５  オーディオデコード部
９、９ａ  制御部
１０  操作部
１１  表示部
１２  バス通信処理部
１３  ウェブ通信処理部
２０  検索キー設定部
２２  関連情報検索部
２４  表示処理部
２６  外部装置検索部
２８  ウェブ検索部
３０  接続確認部
１００、１００ａ  受信機
１１０  ＭＤプレーヤ
１２０  ＤＶＤプレーヤ
１３０  ＣＤチェンジャ
１４０  ＨＤドライブ
１５０  ナビゲーション装置
１５２  メモリカード
２００  受信システム
３００  ウェブサーバ
３１０  データベース（ＤＢ）
４００  ネットワーク
【図１】
0004199435.tif 000002
【図２】
0004199435.tif 000003
【図３】
0004199435.tif 000004
【図４】
0004199435.tif 000005
【図５】
0004199435.tif 000006
【図６】
0004199435.tif 000007
【図７】
0004199435.tif 000008
【図８】
0004199435.tif 000009
【図９】
0004199435.tif 000010